(57)【要約】【課題】釣銭準備金の両替元金の準備または振り込みのために顧客に掛かる手間を低減すると共に、釣銭準備金の両替元金の運搬のために警送員に掛かる手間を低減することが可能な技術を提供する。【解決手段】リジェクト庫に収納されているリジェクト媒体を釣銭準備金の両替元金として使用する旨の指示が操作部によって受け付けられると、リジェクト庫からリジェクト媒体を取り出させると共に投入口に前記リジェクト媒体を投入させ、投入口に投入されたリジェクト媒体の少なくとも一部を回収庫に収納するよう制御する制御部と、を備える、現金管理装置が提供される。【選択図】図６
2020077335.tif 000002
【特許請求の範囲】
【請求項１】
外部から現金の投入を受け付ける投入口と、
前記現金の金種および正損を鑑別する鑑別部と、
前記現金を金種別に収納する収納庫と、
前記鑑別部により前記収納庫に収納すべきでないと鑑別されたリジェクト媒体を収納するリジェクト庫と、
装置から回収すべき現金を収納する回収庫と、
操作者からの指示を受け付ける操作部と、
前記リジェクト庫に収納されている前記リジェクト媒体を釣銭準備金の両替元金として使用する旨の指示が前記操作部によって受け付けられると、前記リジェクト庫から前記リジェクト媒体を取り出させると共に前記投入口に前記リジェクト媒体を投入させ、前記投入口に投入された前記リジェクト媒体の少なくとも一部を前記回収庫に収納するよう制御する制御部と、
を備える、現金管理装置。
【請求項２】
前記制御部は、所定のタイミングに、前記リジェクト媒体を前記両替元金として使用するかを選択可能にする、
請求項１に記載の現金管理装置。
【請求項３】
前記制御部は、売上金が前記回収庫に収納された後に、前記リジェクト媒体を前記両替元金として使用するかを選択可能にする、
請求項２に記載の現金管理装置。
【請求項４】
前記制御部は、前記リジェクト媒体の少なくとも一部が前記回収庫に収納された後、前記売上金に関する情報と前記両替元金に関する情報とが印字されたレシートが出力されるように制御する、
請求項３に記載の現金管理装置。
【請求項５】
前記制御部は、前記リジェクト媒体を前記両替元金として使用するかを選択するための画面を表示部に表示させ、該画面により前記リジェクト媒体を前記両替元金として使用するかを選択可能にする、
請求項２に記載の現金管理装置。
【請求項６】
前記制御部は、前記投入口に投入された前記リジェクト媒体の枚数が前記回収庫の空き容量を超えない場合、前記リジェクト媒体を前記回収庫に収納するよう制御する、
請求項１に記載の現金管理装置。
【請求項７】
前記制御部は、前記投入口に投入された前記リジェクト媒体の枚数が前記回収庫の空き容量を超える場合、前記空き容量を超える枚数のリジェクト媒体を両替元金として使用するかを選択可能にする、
請求項１に記載の現金管理装置。
【請求項８】
前記制御部は、前記空き容量を超える枚数のリジェクト媒体を両替元金として使用する旨の指示が前記操作部によって受け付けられると、前記空き容量を超えない枚数のリジェクト媒体を前記回収庫に収納し、その後、前記回収庫が別の回収庫に交換されると、前記空き容量を超える枚数のリジェクト媒体を交換後の回収庫に収納するよう制御する、
請求項７に記載の現金管理装置。
【請求項９】
前記制御部は、前記空き容量を超える枚数のリジェクト媒体を両替元金として使用しない旨の指示が前記操作部によって受け付けられると、前記空き容量を超えない枚数のリジェクト媒体を前記回収庫に収納するよう制御すると共に、前記空き容量を超える枚数のリジェクト媒体を前記リジェクト庫または前記投入口に搬送するよう制御する、
請求項７に記載の現金管理装置。
【請求項１０】
前記制御部は、前記投入口に投入された前記リジェクト媒体の計数結果を表示するよう表示部を制御すると共に、前記両替元金として使用する前記リジェクト媒体の計数結果を確認させると共に、該計数結果の確定を選択可能にする、
請求項２に記載の現金管理装置。
【請求項１１】
前記制御部は、前記投入口のシャッタを開けること、または、前記投入口への前記リジェクト媒体の投入を促す表示を行うことによって、前記投入口に前記リジェクト媒体を投入させる、
請求項１に記載の現金管理装置。
【請求項１２】
前記制御部は、前記収納庫に収納されている前記現金の少なくとも一部を両替元金として使用する旨の指示が前記操作部によって受け付けられると、前記収納庫に収納されている前記現金の少なくとも一部を前記回収庫に収納するよう制御する、
請求項１に記載の現金管理装置。
【請求項１３】
前記制御部は、売上金が前記回収庫に収納された後に、前記収納庫に収納されている前記現金の少なくとも一部を両替元金として使用するかを選択可能にする、
請求項１２に記載の現金管理装置。
【請求項１４】
前記制御部は、前記収納庫に収納されている前記現金のうち前記両替元金として使用する金種および枚数が前記操作部によって受け付けられると、受け付けた前記金種および枚数の現金を前記回収庫に収納するよう制御する、
請求項１２に記載の現金管理装置。
【請求項１５】
操作者からの指示を受け付ける操作手段と、
リジェクト庫に収納されているリジェクト媒体を釣銭準備金の両替元金として使用する旨の指示が前記操作手段によって受け付けられると、前記リジェクト庫から前記リジェクト媒体を取り出させると共に投入口に前記リジェクト媒体を投入させ、前記投入口に投入された前記リジェクト媒体の少なくとも一部を回収庫に収納する制御手段と、
を含む、現金管理方法。
【発明の詳細な説明】
【技術分野】
【０００１】
本発明は、現金管理装置および現金管理方法に関する。
【背景技術】
【０００２】
一般に、流通市場（例えば、スーパーマーケットおよび小売店舗など）や、銀行などの金融機関などには、釣銭準備金および売上金などを管理する現金管理装置が設置されている場合がある。現金管理装置からの売上金の回収は、現金管理装置を導入しているユーザ（以下、「顧客」とも言う。）によって直接行われる場合がある。かかる場合には、顧客によって回収操作が行われると、売上金が回収庫に搬送される。
【０００３】
一方、顧客が警送会社による売上金の回収サービスを採用している場合には、現金管理装置からの売上金の回収が、警送会社の警送員によって行われる場合もある。かかる場合には、警送会社の警送員によって回収操作が行われると、売上金が回収庫に搬送される。その後、運用に応じて警送員が回収庫から売上金を取り出して袋に詰めるか、又は回収庫に売上金を収納したままの状態で運搬および管理される。
【０００４】
さらに、顧客が、売上金の回収サービス以外にも、警送会社による釣銭の配送サービスを採用している場合もある。かかる場合には、警送会社の警送員によって配送される釣銭準備金と同額の現金（すなわち、釣銭準備金の元金、以下、「両替元金」とも言う。）を、あらかじめ警送会社宛てに振り込んでおくか、警送員から釣銭を受け取る際に両替元金を警送員に渡すのが通例である。両替元金を渡された警送員は、売上金が収納された回収庫とともに両替元金を運搬し、警備会社に持ち帰る必要がある。
【０００５】
なお、売上金および売上金以外の現金（両替元金など）を売上金の回収庫に収納する技術が開示されている（例えば、特許文献１など）。
【先行技術文献】
【特許文献】
【０００６】
【特許文献１】特開２０１７−１５１６２６号公報
【発明の概要】
【発明が解決しようとする課題】
【０００７】
従来、リサイクルに適さない現金を収納するリジェクト庫を備えた装置が存在するが、一般的にリジェクト庫は、リジェクト庫に収納された現金（以下、「リジェクト媒体」とも言う。）を繰り出す機能を有していないため、リジェクト媒体を売上金の回収庫に搬送することができない。そのため、顧客が両替元金としてリジェクト媒体を使用しようとする場合、リジェクト庫からリジェクト媒体を取り出し、取り出したリジェクト媒体を両替元金として袋に入れる手間が顧客に掛かってしまう。また、顧客が準備した両替元金を金庫に保管する場合などには、金庫を開けるたびに金庫内の現金の金額が正しいことを確認する手間が顧客に掛かってしまう。
【０００８】
そこで、本発明は、上記問題に鑑みてなされたものであり、本発明の目的とするところは、釣銭準備金の両替元金の準備または振り込みのために顧客に掛かる手間を低減すると共に、釣銭準備金の両替元金の運搬のために警送員に掛かる手間を低減することが可能な技術を提供することにある。
【課題を解決するための手段】
【０００９】
上記問題を解決するために、本発明のある観点によれば、外部から現金の投入を受け付ける投入口と、前記現金の金種および正損を鑑別する鑑別部と、前記現金を金種別に収納する収納庫と、前記鑑別部により前記収納庫に収納すべきでないと鑑別されたリジェクト媒体を収納するリジェクト庫と、装置から回収すべき現金を収納する回収庫と、操作者からの指示を受け付ける操作部と、前記リジェクト庫に収納されている前記リジェクト媒体を釣銭準備金の両替元金として使用する旨の指示が前記操作部によって受け付けられると、前記リジェクト庫から前記リジェクト媒体を取り出させると共に前記投入口に前記リジェクト媒体を投入させ、前記投入口に投入された前記リジェクト媒体の少なくとも一部を前記回収庫に収納するよう制御する制御部と、を備える、現金管理装置が提供される。
【００１０】
前記制御部は、所定のタイミングに、前記リジェクト媒体を前記両替元金として使用するかを選択可能にしてもよい。
【００１１】
前記制御部は、売上金が前記回収庫に収納された後に、前記リジェクト媒体を前記両替元金として使用するかを選択可能にしてもよい。
【００１２】
前記制御部は、前記リジェクト媒体の少なくとも一部が前記回収庫に収納された後、前記売上金に関する情報と前記両替元金に関する情報とが印字されたレシートが出力されるように制御してもよい。
【００１３】
前記制御部は、前記リジェクト媒体を前記両替元金として使用するかを選択するための画面を表示部に表示させ、該画面により前記リジェクト媒体を前記両替元金として使用するかを選択可能にしてもよい。
【００１４】
前記制御部は、前記投入口に投入された前記リジェクト媒体の枚数が前記回収庫の空き容量を超えない場合、前記リジェクト媒体を前記回収庫に収納するよう制御してもよい。
【００１５】
前記制御部は、前記投入口に投入された前記リジェクト媒体の枚数が前記回収庫の空き容量を超える場合、前記空き容量を超える枚数のリジェクト媒体を両替元金として使用するかを選択可能にしてもよい。
【００１６】
前記制御部は、前記空き容量を超える枚数のリジェクト媒体を両替元金として使用する旨の指示が前記操作部によって受け付けられると、前記空き容量を超えない枚数のリジェクト媒体を前記回収庫に収納し、その後、前記回収庫が別の回収庫に交換されると、前記空き容量を超える枚数のリジェクト媒体を交換後の回収庫に収納するよう制御してもよい。
【００１７】
前記制御部は、前記空き容量を超える枚数のリジェクト媒体を両替元金として使用しない旨の指示が前記操作部によって受け付けられると、前記空き容量を超えない枚数のリジェクト媒体を前記回収庫に収納するよう制御すると共に、前記空き容量を超える枚数のリジェクト媒体を前記リジェクト庫または前記投入口に搬送するよう制御してもよい。
【００１８】
前記制御部は、前記投入口に投入された前記リジェクト媒体の計数結果を表示するよう表示部を制御すると共に、前記両替元金として使用する前記リジェクト媒体の計数結果を確認させると共に、該計数結果の確定を選択可能にしてもよい。
【００１９】
前記制御部は、前記投入口のシャッタを開けること、または、前記投入口への前記リジェクト媒体の投入を促す表示を行うことによって、前記投入口に前記リジェクト媒体を投入させてもよい。
【００２０】
前記制御部は、前記収納庫に収納されている前記現金の少なくとも一部を両替元金として使用する旨の指示が前記操作部によって受け付けられると、前記収納庫に収納されている前記現金の少なくとも一部を前記回収庫に収納するよう制御してもよい。
【００２１】
前記制御部は、売上金が前記回収庫に収納された後に、前記収納庫に収納されている前記現金の少なくとも一部を両替元金として使用するかを選択可能にしてもよい。
【００２２】
前記制御部は、前記収納庫に収納されている前記現金のうち前記両替元金として使用する金種および枚数が前記操作部によって受け付けられると、受け付けた前記金種および枚数の現金を前記回収庫に収納するよう制御してもよい。
【００２３】
また、本発明のある観点によれば、操作者からの指示を受け付ける操作手段と、リジェクト庫に収納されているリジェクト媒体を釣銭準備金の両替元金として使用する旨の指示が前記操作手段によって受け付けられると、前記リジェクト庫から前記リジェクト媒体を取り出させると共に投入口に前記リジェクト媒体を投入させ、前記投入口に投入された前記リジェクト媒体の少なくとも一部を回収庫に収納する制御手段と、を含む、現金管理方法が提供される。
【発明の効果】
【００２４】
以上説明したように本発明によれば、釣銭準備金の両替元金の準備または振り込みのために顧客に掛かる手間を低減すると共に、釣銭準備金の両替元金の運搬のために警送員に掛かる手間を低減することが可能である。
【図面の簡単な説明】
【００２５】
【図１】一般的な両替元金の作成の流れを示すフローチャートである。
【図２】一般的な売上金と両替元金の回収の流れを示すフローチャートである。
【図３】一般的な現金管理装置による売上回収処理の流れを示すフローチャートである。
【図４】本発明の実施形態に係る入出金装置の外観斜視図である。
【図５】本発明の実施形態に係る入出金装置の内部構成を示す内部構成図である。
【図６】本発明の実施形態に係る入出金装置の制御系の構成を示すブロック図である。
【図７】本発明の実施形態に係る売上回収と両替元金の回収の流れを示すフローチャートである。
【図８】本発明の実施形態に係る入出金装置による売上回収処理および両替元金回収処理の流れを示すフローチャートである。
【図９】本発明の実施形態に係る入出金装置による売上回収処理および両替元金回収処理の流れを示すフローチャートである。
【図１０】本発明の実施形態に係る入出金装置による売上回収処理および両替元金回収処理の流れを示すフローチャートである。
【図１１】両替元金として使用するリジェクト紙幣の枚数の計数結果を示した確認選択画面例を示す図である。
【図１２】紙幣回収庫の空き容量を超える枚数のリジェクト紙幣を両替元金として使用するかを選択するための画面例を示す図である。
【図１３】釣銭用紙幣収納庫に収納されている紙幣を両替元金として使用するかを選択するための画面例を示す図である。
【図１４】両替元金の金種枚数を入力するための画面例を示す図である。
【図１５】レシートプリンタ部によって作成されるレシートの例を示す図である。
【発明を実施するための形態】
【００２６】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２７】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２８】
（０．一般的な運用例）
本発明の実施形態では、現金管理装置によって取り扱われる現金の例として紙幣を用いる場合を主に説明する。しかし、後にも説明するように、本発明の実施形態では、現金管理装置によって、紙幣の代わりに他の現金（例えば、硬貨）が取り扱われてもよい。まず、一般的な両替元金の作成と売上金の回収（以下、「売上回収」とも言う。）と両替元金の回収の流れについて説明する。
【００２９】
図１は、一般的な両替元金の作成の流れを示すフローチャートである。図１に示されるように、両替元金の作成が開始されると、顧客は、金種毎の枚数（以下、「金種枚数」とも言う。）を指定し、指定した金種枚数に相当する紙幣を、釣銭の一部として回収する（Ｓ１１）。そして、顧客は、回収した紙幣を袋詰めする（袋に入れる）（Ｓ１２）。顧客は、袋詰めした紙幣を金庫に保管する（Ｓ１３）。このとき、顧客は、金庫に元々入っていた現金の金額が正しいことを手計算（手による計算）で確認し（Ｓ１４）、両替元金の作成が終了される。
【００３０】
図２は、一般的な売上金と両替元金の回収の流れを示すフローチャートである。図２に示されるように、売上金と両替元金の回収が開始されると、警送会社の警送員は、現金管理装置から売上回収を行う（Ｓ２１）。そして、警送員は、回収した売上金を袋詰めする（袋に入れる）。一般的な現金管理装置による売上回収処理についての詳細は、図３を参照しながら後に説明する。また、顧客は、両替元金（袋詰めされた紙幣）を金庫から抜き取り、抜き取った両替元金を警送員に手渡しする。警送員は、顧客から手渡された両替元金を受け取る（Ｓ２２）。
【００３１】
このとき、顧客は、金庫に元々入っていた現金の金額が正しいことを手計算（手による計算）で確認する（Ｓ２３）。警送員は、両替元金と同額の釣銭準備金を顧客に手渡し、売上金と両替元金とを車詰めし（警送車に詰め込んで）（Ｓ２４）、警送車を運転して売上金と両替元金とを運搬し、警送会社に持ち帰る。そして、売上金と両替元金の回収が終了される。
【００３２】
図３は、一般的な現金管理装置による売上回収処理の流れを示すフローチャートである。図３に示されるように、現金管理装置は、メニュー画面において項目「売上回収」の選択を警送員から受け付け（Ｓ２１１）、売上回収する紙幣の金種枚数の指定を警送員から受け付ける（Ｓ２１２）。現金管理装置は、以下の（算出式１）が成立するか否かを判定する（Ｓ２１３）。すなわち、現金管理装置は、売上回収する紙幣の枚数が、回収庫の空き容量以下であるか否かを判定する。
【００３３】
回収庫の最大収納可能枚数−回収庫に収納済みの枚数≧売上回収する紙幣の枚数・・・（算出式１）
【００３４】
現金管理装置は、（算出式１）が成立する場合には（Ｓ２１３において「成立」）、指定された金種枚数の売上金を回収庫に搬送する（Ｓ２１６）。回収庫に売上金が搬送されると、警送員によって回収庫が装置内から抜き取られ、空の回収庫が装置内に挿入される。現金管理装置は、空の回収庫が装置内に挿入されたことを検知すると、回収庫に搬送した売上金の金額が売上金額として印字されたレシートを出力し（Ｓ２１７）、売上回収処理が終了される。
【００３５】
一方、現金管理装置は、（算出式１）が成立しない場合には（Ｓ２１３において「不成立」）、回収庫を交換するか否かを選択するための画面を表示し、警送員によって回収庫を交換しない旨が選択された場合には（Ｓ２１４において「しない」、）売上回収処理が終了される。一方、警送員によって回収庫を交換する旨が選択された場合には（Ｓ２１４において「する」）、警送員が装置内の回収庫と空の回収庫とを交換すると（すなわち、現在装置内に挿入されている回収庫を抜き取り、空の回収庫を装置内に挿入すると）（Ｓ２１５）、Ｓ２１３に戻る。
【００３６】
以上、一般的な両替元金の作成と売上回収と両替元金の回収の流れについて説明した。
【００３７】
（１．入出金装置の構成例）
続いて、本発明の実施形態に係る入出金装置の構成例について説明する。図４は、本発明の実施形態に係る入出金装置の外観斜視図である。図５は、本発明の実施形態に係る入出金装置の内部構成を示す内部構成図である。図６は、本発明の実施形態に係る入出金装置の制御系の構成を示すブロック図である。なお、図４〜図６において、対応する構成要素には同一の符号を付している。
【００３８】
入出金装置１は、釣銭準備金および売上金などを管理する現金管理装置の例として機能し得る。かかる入出金装置１は、流通市場（例えば、スーパーマーケットおよび小売店舗など）や、銀行などの金融機関などに設置され得る。例えば、入出金装置１は、「釣銭出金取引」、「売上入金取引」、「計数取引」、「補充取引」、「抜き取り取引」、「精査集計取引」、「回収取引」、「精査取引」などの取引機能を有している。図６に示された例において、入出金装置１は、大別して、硬貨処理機１０、紙幣処理機２０、操作表示部３３、カードリーダ部３５、レシートプリンタ部３６、記憶部３７、主制御部３８を有する。
【００３９】
操作表示部３３は、操作者からの指示を受け付ける操作部の例として機能し得る。例えば、操作表示部３３は、現金を入出金するレジスタ担当者によって操作されたり、売上の締めを行う管理者によって操作されたりする。また、操作表示部３３は、売上回収を行う警送員によって操作されたりする。また、操作表示部３３は、入出金装置１の各種の取引操作の案内画面、入力画面、入力情報、金種別の入金金額または出金金額などを表示したりする。例えば、操作表示部３３は、キーボードや、テンキー、タッチパネルなどの操作部、および、ＬＣＤ（ｌｉｑｕｉｄ  ｃｒｙｓｔａｌ  ｄｉｓｐｌａｙ）などの表示部を有していてよい。
【００４０】
カードリーダ部３５は、入出金装置１の操作者であるレジスタ担当者や管理者などが使用するＩＤカードの情報を読み取る。ここで、ＩＤカードには、管理者が用いる管理カード、レジスタを識別するレジスタカード、レジスタを担当する担当者を識別する担当者ＩＤカード、店舗ごとに発行された店舗カードなどがある。
【００４１】
レシートプリンタ部３６は、硬貨処理機１０や紙幣処理機２０で行われた入金処理または出金処理の金額、金種枚数などを伝票に記録して出力する。
【００４２】
記憶部３７は、メモリによって構成されており、主制御部３８が実行するプログラムやデータを格納したり、主制御部３８による処理結果を記憶したりする。例えば、記憶部３７は、不揮発性の記憶装置によって構成される。また、記憶部３７は、釣銭用紙幣収納庫２４（２４−１〜２４−３）に収納されている紙幣の枚数、紙幣回収庫２５に収納されている紙幣の枚数、釣銭用硬貨収納庫１４に収納されている硬貨の枚数、硬貨回収庫１５に収納されている硬貨の枚数などを記憶するようになっている。
【００４３】
主制御部３８は、プロセッサにより構成されており、記憶部３７に格納されたプログラムに基づいて、入出金装置１の全体の処理を制御する。例えば、主制御部３８は、ＣＰＵ（Ｃｅｎｔｒａｌ  Ｐｒｏｃｅｓｓｉｎｇ  Ｕｎｉｔ）により構成されており、記憶部３７により記憶されているプログラムがＣＰＵによりＲＡＭ（Ｒａｎｄｏｍ  Ａｃｃｅｓｓ  Ｍｅｍｏｒｙ）に展開されて実行されることにより、その機能が実現され得る。このとき、当該プログラムを記録した、コンピュータに読み取り可能な記録媒体も提供され得る。あるいは、主制御部３８は、専用のハードウェアにより構成されていてもよいし、複数のハードウェアの組み合わせにより構成されてもよい。
【００４４】
硬貨処理機１０は、硬貨入金口１１、硬貨鑑別部１２、硬貨一時保留部１３、釣銭用硬貨収納庫１４、硬貨回収庫１５、硬貨出金庫１６、硬貨返却箱１７および硬貨処理機制御部１８を有する。
【００４５】
硬貨入金口１１は、外部から硬貨の投入を受け付ける投入口として機能し得る。例えば、硬貨入金口１１は、入金処理や精査の際に、硬貨を一括して外部から受け入れる。
【００４６】
硬貨鑑別部１２は、硬貨入金口１１によって受け入れられた硬貨の金種および正損などを鑑別すると共に、鑑別した硬貨を金種毎に計数する。具体的には、硬貨鑑別部１２は、搬送路を通って搬送された硬貨の外形や材質などを鑑別し、通過する硬貨に対して、正常判定またはリジェクト判定を行う。
【００４７】
また、硬貨入金口１１と硬貨鑑別部１２との間には、分離部により分離された硬貨を搬送する搬送ベルトなどによる搬送路が設けられている。
【００４８】
硬貨一時保留部１３は、硬貨鑑別部１２による鑑別計数の際に、一時的に硬貨を集積する。例えば、硬貨一時保留部１３は、硬貨鑑別部１２により正常と鑑別された紙幣を一時的に集積する。
【００４９】
釣銭用硬貨収納庫１４は、レジスタ用の釣銭準備金として使用する硬貨を金種別に収納し、いわゆる出金ホッパと呼ばれる。釣銭用硬貨収納庫１４は、売上入金の際に硬貨鑑別部１２により正常と鑑別された硬貨を収納する。釣銭用硬貨収納庫１４には、収納することができる保管基準額（または保管基準枚数）が設定されており、釣銭用硬貨収納庫１４に収納される硬貨が保管基準額を超える場合に、抜き取り取引がなされる。また、釣銭用硬貨収納庫１４には、内部に収納している硬貨を搬送路に繰り出す繰出し手段が設けられており、釣銭出金の際に硬貨を繰り出して出金する。
【００５０】
硬貨回収庫１５は、売上回収の際に、売上金としての硬貨を回収するために、釣銭用硬貨収納庫１４から売上金としての硬貨を受け取り、硬貨を収納する。また、硬貨回収庫１５は、装置に対して脱着可能であり、必要に応じて交換可能である。
【００５１】
硬貨出金庫１６は、釣銭出金の際に、釣銭用硬貨収納庫１４から繰り出された釣銭用としての硬貨が集積される。また、硬貨出金庫１６は装置外部へ引出し可能であると共に、装置内部へ収納可能に設けられている。
【００５２】
硬貨返却箱１７は、硬貨入金口１１に投入された硬貨のうち、顧客に返却すべき硬貨を収納する。例えば、硬貨返却箱１７は、売上入金の取消しの際には、硬貨一時保留部１３に集積されていた硬貨を収納するようになっている。また、硬貨返却箱１７は装置外部へ引出し可能であると共に、装置内部へ収納可能に設けられている。
【００５３】
硬貨処理機制御部１８は、プロセッサにより構成されており、硬貨処理機１０の全体の動作制御を行う。例えば、硬貨処理機制御部１８は、ＣＰＵにより構成されており、プログラムがＣＰＵによりＲＡＭに展開されて実行されることにより、その機能が実現され得る。このとき、当該プログラムを記録した、コンピュータに読み取り可能な記録媒体も提供され得る。あるいは、硬貨処理機制御部１８は、専用のハードウェアにより構成されていてもよいし、複数のハードウェアの組み合わせにより構成されてもよい。なお、硬貨処理機制御部１８は、主制御部３８の指示により硬貨処理機１０を制御する。
【００５４】
ここで、硬貨一時保留部１３、釣銭用硬貨収納庫１４、硬貨出金庫１６は、金種毎に分けて硬貨を集積および収納できるように内部が区切られている。また、釣銭用硬貨収納庫１４と、硬貨回収庫１５および硬貨出金庫１６との間には、釣銭用硬貨収納庫１４から排出される硬貨を硬貨回収庫１５または硬貨出金庫１６に導く振分け手段と、通過する硬貨を金種毎に計数する計数手段とが設けられている。
【００５５】
紙幣処理機２０は、紙幣入出金口２１、紙幣鑑別部２２、紙幣一時保留部２３、釣銭用紙幣収納庫２４、紙幣回収庫２５、紙幣リジェクト庫２６および紙幣処理機制御部２７を有する。
【００５６】
紙幣入出金口２１は、外部から紙幣の投入を受け付ける投入口として機能し得る。例えば、紙幣入出金口２１は、入金処理や精査の際に、紙幣を一括して外部から受け入れる。また、紙幣入出金口２１は、入金処理の取消しで紙幣を返却したり、出金処理時に釣銭としての紙幣を出金したり、入金リジェクト紙幣を返却したりする。
【００５７】
紙幣鑑別部２２は、紙幣入出金口２１に受け入れた紙幣を１枚ずつ分離して、紙幣の金種および正損を鑑別すると共に、鑑別した紙幣を金種毎に計数する。ここで、本明細書において、正券とは真券と鑑別された紙幣のうち入金／出金に適すると鑑別された紙幣をいい、損券とは真券と鑑別された紙幣のうち入金／出金に適さないと鑑別された紙幣をいう。また、リジェクト判定は、損券（汚損、損壊、外形異常等）といった要因に基づいて行われる。
【００５８】
紙幣一時保留部２３は、入金紙幣の計数の際や売上金の集計の際に、紙幣鑑別部２２で鑑別計数された紙幣を一時的に集積する。例えば、紙幣一時保留部２３は、紙幣鑑別部２２により正常と鑑別された紙幣を一時的に集積する。また、紙幣一時保留部２３には、紙幣を繰り出して搬送路に送り出す繰り出し手段が設けられている。
【００５９】
釣銭用紙幣収納庫２４（２４−１〜２４−３）は、レジスタ用の釣銭準備金として使用する紙幣を金種別に収納する収納庫であり、いわゆるカセットである。釣銭用紙幣収納庫２４は、金種別に紙幣を収納し、例えば、通貨が日本円の場合、千円券、五千円券、一万円券などを区別して収納する。
【００６０】
本発明の実施形態では、釣銭用紙幣収納庫２４−１が一万円券を収納し（図５では「万券カセット」と表記している。）、釣銭用紙幣収納庫２４−２が五千円券を収納し（図５では「五千券カセット」と表記している。）、釣銭用紙幣収納庫２４−３が千円券を収納する（図５では「千券カセット」と表記している。）。
【００６１】
本発明の実施形態では、釣銭用紙幣収納庫２４の種類が、入金された紙幣を収納すると共に、出金処理の際に、入金された紙幣を出金するいわゆるリサイクルカセットである場合を例示する。つまり、釣銭用紙幣収納庫２４は、入金処理の際に紙幣鑑別部２２により正券と鑑別された紙幣を収納し、出金処理の際に収納されている紙幣を出金する。
【００６２】
また、釣銭用紙幣収納庫２４には、収納する紙幣の金種毎に保管基準額（または保管基準枚数）が設定されており、その保管基準額に基づいて入金処理された紙幣を収納するようになっている。釣銭用紙幣収納庫２４には、紙幣を搬送路に繰り出す繰り出し手段が設けられている。さらに、釣銭用紙幣収納庫２４は装置に対して脱着可能に構成されている。紙幣回収庫２５には、紙幣のニアフルやフルを検知するセンサが設けられており、これらのセンサにより紙幣の有無や、収納状況を監視できるようになっている。
【００６３】
紙幣回収庫２５は、売上回収時に、釣銭用紙幣収納庫２４から売上金としての紙幣を受け取り、その紙幣を収納する。また、紙幣回収庫２５は複数用意されてもよく、必要に応じて装置に対して脱着可能であってもよい。紙幣回収庫２５には、紙幣のニアフルやフルを検知するセンサが設けられており、これらのセンサにより紙幣の有無や、収納状況を監視できるようになっている。
【００６４】
紙幣リジェクト庫２６は、紙幣鑑別部２２によりリジェクトされた紙幣（リジェクト紙幣）を集積するリジェクト庫の例として機能する。例えば、紙幣リジェクト庫２６は、売上入金の際に、紙幣一時保留部２３から釣銭用紙幣収納庫２４に紙幣を収納するときに、紙幣鑑別部２２によりリジェクトされたリジェクト紙幣を集積する。また、売上金を回収する際、紙幣リジェクト庫２６は、釣銭用紙幣収納庫２４から紙幣回収庫２５に売上金を搬送させる途中で紙幣鑑別部２２によりリジェクトされたリジェクト紙幣を集積する。
【００６５】
紙幣処理機制御部２７は、プロセッサにより構成されており、紙幣処理機２０の全体の動作制御を行う。例えば、紙幣処理機制御部２７は、ＣＰＵにより構成されており、プログラムがＣＰＵによりＲＡＭに展開されて実行されることにより、その機能が実現され得る。このとき、当該プログラムを記録した、コンピュータに読み取り可能な記録媒体も提供され得る。あるいは、紙幣処理機制御部２７は、専用のハードウェアにより構成されていてもよいし、複数のハードウェアの組み合わせにより構成されてもよい。なお、紙幣処理機制御部２７は、主制御部３８の指示により紙幣処理機２０を制御する。
【００６６】
以上、本発明の実施形態に係る入出金装置１の構成について説明した。
【００６７】
（２．本実施形態に係る入出金装置の運用例）
続いて、本発明の実施形態に係る売上回収と両替元金の回収の流れについて説明する。
【００６８】
図７は、本発明の実施形態に係る売上回収と両替元金の回収の流れを示すフローチャートである。図７に示されるように、本発明の実施形態においては、売上金と両替元金の回収が開始されると、警送会社の警送員は、入出金装置１から売上回収および両替元金回収を行う。（Ｓ４１）、そして、警送員は、回収庫から回収した売上金と両替元金とを袋詰めする（袋に入れる）。入出金装置１による売上回収処理および両替元金回収処理についての詳細は、図８〜図１０を参照しながら後に説明する。また、警送員は、両替元金と同額の釣銭準備金を顧客に手渡し、売上金と両替元金とを車詰めし（警送車に詰め込んで）（Ｓ４６）、警送車を運転して売上金と両替元金とを運搬し、警送会社に持ち帰る。そして、売上金と両替元金の回収が終了される。
【００６９】
図８〜図１０は、本発明の実施形態に係る入出金装置１による売上回収処理および両替元金回収処理の流れを示すフローチャートである。図８に示されるように、操作表示部３３によって表示されたメニュー画面において項目「売上回収」の選択を警送員から受け付け（Ｓ４１１）、売上回収する紙幣の金種と枚数の指定を警送員から受け付ける（Ｓ４１２）。主制御部３８は、上記の（算出式１）が成立するか否かを判定する（Ｓ４１３）。すなわち、主制御部３８は、売上回収する紙幣の枚数が、紙幣回収庫２５の空き容量以下であるか否かを判定する。
【００７０】
主制御部３８は、（算出式１）が成立する場合には（Ｓ４１３において「成立」）、指定された金種枚数の売上金が釣銭用紙幣収納庫２４から紙幣回収庫２５に搬送されるように制御する（Ｓ４１６）。紙幣回収庫２５に売上金が搬送され、紙幣回収庫２５に売上金が収納されると、主制御部３８は、図９のＳ４２１に動作を移行させる。
【００７１】
一方、現金管理装置は、（算出式１）が成立しない場合には（Ｓ４１３において「不成立」）、回収庫を交換するか否かを選択するための画面を表示し、警送員によって回収庫を交換しない旨が選択された場合には（Ｓ４１４において「しない」、）売上回収処理および両替元金回収処理が終了される。一方、警送員によって回収庫を交換する旨が選択された場合には（Ｓ２１４において「する」）、警送員が装置内の紙幣回収庫２５と空の紙幣回収庫２５とを交換すると（すなわち、現在装置内に挿入されている紙幣回収庫２５を抜き取り、空の紙幣回収庫２５を装置内に挿入すると）（Ｓ４１５）、Ｓ４１３に戻る。
【００７２】
主制御部３８は、所定のタイミングに、リジェクト紙幣（紙幣リジェクト庫２６の紙幣）を両替元金として使用するかを選択可能にする。ここでは、主制御部３８が、売上金が紙幣回収庫２５に搬送された後に、リジェクト紙幣を両替元金として使用するかを選択可能にする場合を想定する。これによって、売上回収を含む一連の処理の流れの中で両替元金の回収が行われ得る。例えば、主制御部３８は、リジェクト紙幣を両替元金として使用するかを選択するための画面を操作表示部３３に表示させることによって、リジェクト紙幣を両替元金として使用するかを選択可能にする。
【００７３】
主制御部３８は、紙幣リジェクト庫２６の紙幣（リジェクト紙幣）の抜き取り（取り出し）をしない旨の指示が操作表示部３３によって受け付けられると（すなわち、リジェクト紙幣を両替元金として使用しない旨の指示が操作表示部３３によって受け付けられると）（Ｓ４２１において「しない」）、図１０のＳ４４１に動作を移行させる。
【００７４】
一方、主制御部３８は、紙幣リジェクト庫２６の紙幣（リジェクト紙幣）の抜き取りをする旨の指示が操作表示部３３によって受け付けられると（すなわち、リジェクト紙幣を両替元金として使用する旨の指示が操作表示部３３によって受け付けられると）（Ｓ４２１において「する」）、警送員に対して紙幣リジェクト庫２６からリジェクト紙幣を抜き取ると共に、抜き取ったリジェクト紙幣を紙幣入出金口２１に投入することを促す画面を操作表示部３３に表示させる。
【００７５】
例えば、主制御部３８は、電磁ロックの解錠によって装置内部から紙幣リジェクト庫２６を取り出せる状態にすることで、警送員に紙幣リジェクト庫２６からリジェクト紙幣を取り出させる。また、紙幣入出金口２１にリジェクト紙幣を投入させる動作は、特に限定されない。
【００７６】
警送員によって、紙幣リジェクト庫２６からリジェクト紙幣が抜き取られ（Ｓ４２２）、リジェクト紙幣が紙幣入出金口２１に投入されると（Ｓ４２３）、紙幣鑑別部２２は、紙幣入出金口２１に投入されたリジェクト紙幣を計数しながら、紙幣一時保留部２３へ搬送し、リジェクト紙幣を収納していく。主制御部３８は、紙幣入出金口２１に投入されたリジェクト紙幣の計数結果を表示するよう操作表示部３３を制御すると共に、両替元金として使用するリジェクト紙幣の枚数を計数結果が示す枚数に確定してよいかを選択可能にする。例えば、主制御部３８は、両替元金として使用するリジェクト紙幣の枚数を計数結果が示す枚数に確定してよいかを選択するための画面を表示するよう操作表示部３３を制御することによって、両替元金として使用するリジェクト紙幣の枚数を計数結果が示す枚数に確定してよいかを選択可能にする。
【００７７】
図１１は、両替元金として使用するリジェクト紙幣の枚数を計数結果が示す枚数に確定してよいかを選択するための画面例を示す図である。図１１を参照すると、両替元金として使用するリジェクト紙幣の枚数を計数結果が示す枚数に確定してよいかを選択するための画面例として計数結果確認画面Ｇ１０が示されている。計数結果確認画面Ｇ１０には、計数結果として「４０,０００円」が表示されている。また、計数結果確認画面Ｇ１０には、取り消し操作のための取り消しボタンＢ１１および確認操作のための確認ボタンＢ１２が表示されている。
【００７８】
ここで、警送員によって取り消しボタンＢ１１が選択された場合には、投入されたリジェクト紙幣を紙幣回収庫２５に収納しない旨の指示が操作表示部３３によって受け付けられる。一方、警送員によって確認ボタンＢ１２が選択された場合には、投入されたリジェクト紙幣を紙幣回収庫２５に収納する旨の指示が操作表示部３３によって受け付けられる。図９に戻って説明を続ける。
【００７９】
主制御部３８は、操作表示部３３によって、投入されたリジェクト紙幣を紙幣回収庫２５に収納しない旨の指示が受け付けられた場合（Ｓ４２４において「しない」）、紙幣一時保留部２３に収納されたリジェクト紙幣を紙幣入出金口２１または紙幣リジェクト庫２６に搬送させ、図１０のＳ４４１に動作を移行させる。一方、主制御部３８は、操作表示部３３によって、投入されたリジェクト紙幣を紙幣回収庫２５に収納する旨の指示が受け付けられた場合（Ｓ４２４において「する」）、以下の（算出式２）が成立するか否かを判定する（Ｓ４２５）。すなわち、主制御部３８は、投入されたリジェクト紙幣の枚数が、紙幣回収庫２５の空き容量以下であるか否かを判定する。
【００８０】
紙幣回収庫の最大収納可能枚数−収納済み枚数≧投入されたリジェクト紙幣の枚数
・・・（算出式２）
【００８１】
主制御部３８は、（算出式２）が成立する場合には（Ｓ４２５において「成立」）、投入されたリジェクト紙幣を紙幣回収庫２５に搬送するよう制御する（Ｓ４３０）。一方、主制御部３８は、（算出式２）が成立しない場合には（Ｓ４２５において「不成立」）、紙幣回収庫２５の空き容量を超える枚数のリジェクト紙幣を両替元金として使用するかを選択可能にする。例えば、主制御部３８は、投入されたリジェクト紙幣のうち、紙幣回収庫２５に収納可能な枚数を両替元金として使用するかを選択するための画面を表示するよう操作表示部３３を制御することによって、当該紙幣の一部を両替元金として使用するかを選択可能にする。
【００８２】
図１２は、紙幣回収庫２５の空き容量を超える枚数のリジェクト紙幣を両替元金として使用するかを選択するための画面例を示す図である。図１２を参照すると、紙幣回収庫２５の空き容量を超える枚数のリジェクト紙幣を両替元金として使用するかを選択するための画面例として両替元金設定画面Ｇ２０が示されている。両替元金設定画面Ｇ２０には、紙幣回収庫２５に搬送できるリジェクト紙幣の枚数に基づく金額として「３０,０００円」が表示されている。また、両替元金設定画面Ｇ２０には、紙幣回収庫２５に搬送できないリジェクト紙幣の枚数に基づく金額として「１０,０００円」が表示されている。また、両替元金設定画面Ｇ２０には、使用ボタンＢ２１および不使用ボタンＢ２２が表示されている。
【００８３】
ここで、警送員によって使用ボタンＢ２１が選択された場合には、紙幣回収庫２５の空き容量を超える枚数のリジェクト紙幣を両替元金として使用する旨の指示が操作表示部３３によって受け付けられる。一方、警送員によって不使用ボタンＢ２２が選択された場合には、紙幣回収庫２５の空き容量を超える枚数のリジェクト紙幣を両替元金として使用しない旨の指示が操作表示部３３によって受け付けられる。図９に戻って説明を続ける。
【００８４】
主制御部３８は、操作表示部３３によって、当該紙幣の一部を両替元金として使用しない旨の指示（紙幣回収庫２５の空き容量を超える枚数のリジェクト紙幣を両替元金として使用しない旨の指示）が受け付けられた場合（Ｓ４２６において「しない」）、紙幣回収庫２５の空き容量を超える枚数のリジェクト紙幣（すなわち、紙幣回収庫２５に搬送できない枚数のリジェクト紙幣）を紙幣リジェクト庫２６に搬送するよう制御し（Ｓ４２９）、残りのリジェクト紙幣（すなわち、紙幣回収庫２５に収納できる枚数のリジェクト紙幣）を紙幣回収庫２５に搬送するよう制御する（Ｓ４３０）。なお、主制御部３８は、紙幣回収庫２５の空き容量以下の枚数のリジェクト紙幣（すなわち、紙幣回収庫２５に収納できる枚数のリジェクト紙幣）を紙幣リジェクト庫２６に搬送するよう制御してから、残りのリジェクト紙幣（すなわち、紙幣回収庫２５に収納できない枚数のリジェクト紙幣）を紙幣回収庫２５に搬送するよう制御してもよい。また、主制御部３８は、紙幣回収庫２５の空き容量を超える枚数のリジェクト紙幣を、紙幣リジェクト庫２６の代わりに、紙幣入出金口２１に搬送するよう制御してもよい。
【００８５】
一方、主制御部３８は、操作表示部３３によって、当該紙幣の一部を両替元金として使用する旨の指示（紙幣回収庫２５の空き容量を超える枚数のリジェクト紙幣を両替元金として使用する旨の指示）が受け付けられた場合（Ｓ４２６において「する」）、紙幣回収庫２５に収納できる枚数のリジェクト紙幣を紙幣回収庫２５に搬送するよう制御する（Ｓ４２７）。紙幣回収庫２５に収納できる枚数のリジェクト紙幣を紙幣回収庫２５に搬送させた後、主制御部３８は、警送員が装置内の紙幣回収庫２５と空の紙幣回収庫２５とを交換すると（すなわち、現在装置内に挿入されている紙幣回収庫２５を抜き取り、空の紙幣回収庫２５を装置内に挿入すると）（Ｓ４２８）、交換後の紙幣回収庫２５に残りのリジェクト紙幣を搬送するよう制御する（Ｓ４３０）。
【００８６】
なお、両替元金設定画面Ｇ２０において例えば取り消しボタンを追加すると共に、取り消しボタンが選択されると、投入されたリジェクト紙幣を紙幣回収庫２５に搬送しない旨の指示が操作表示部３３によって受け付けられるようにしても良い。この場合、主制御部３８は、リジェクト紙幣を紙幣一時保留部２３から紙幣リジェクト庫２６もしくは紙幣入出金口２１に搬送させると共に、図１０のＳ４５０に動作を移行させるようにしてもよい。
【００８７】
主制御部３８は、所定のタイミングに、釣銭用紙幣収納庫２４に収納されている紙幣の少なくとも一部を両替元金として使用するかを選択可能にする。ここでは、主制御部３８が、売上金が紙幣回収庫２５に搬送された後に、釣銭用紙幣収納庫２４に収納されている紙幣の少なくとも一部を両替元金として使用するかを選択可能にする場合を想定する。これによって、売上回収を含む一連の処理の流れの中で両替元金の回収が行われ得る。例えば、主制御部３８は、釣銭用紙幣収納庫２４に収納されている紙幣の少なくとも一部を両替元金として使用するかを選択するための画面を操作表示部３３に表示させることによって、釣銭用紙幣収納庫２４に収納されている紙幣を両替元金として使用するかを選択可能にする。
【００８８】
図１３は、釣銭用紙幣収納庫２４に収納されている紙幣を両替元金として使用するかを選択するための画面例を示す図である。図１３を参照すると、釣銭用紙幣収納庫２４に収納されている紙幣を両替元金として使用するかを選択するための画面例として回収選択画面Ｇ３０が示されている。回収選択画面Ｇ３０には、取り消し操作のための取り消しボタンＢ３１および実行操作のための実行ボタンＢ３２が表示されている。
【００８９】
ここで、警送員によって取り消しボタンＢ３１が選択された場合には、釣銭用紙幣収納庫２４に収納されている紙幣を両替元金として紙幣回収庫２５に収納しない旨の指示（すなわち、釣銭用紙幣収納庫２４に収納されている紙幣を両替元金として使用しない旨の指示）が操作表示部３３によって受け付けられる。一方、警送員によって実行ボタンＢ３２が選択された場合には、釣銭用紙幣収納庫２４から両替元金として搬送させる金種枚数を入力可能にする。図１０に戻って説明を続ける。
【００９０】
主制御部３８は、釣銭用紙幣収納庫２４に収納されている紙幣を両替元金として紙幣回収庫２５に収納しない旨の指示が操作表示部３３によって受け付けられると（Ｓ４４１において「しない」）、Ｓ４５０に動作を移行させる。一方、主制御部３８は、釣銭用紙幣収納庫２４に収納されている紙幣を両替元金として紙幣回収庫２５に収納する旨の指示が操作表示部３３によって受け付けられると（Ｓ４４１において「する」）、両替元金の金種枚数を入力可能にする。例えば、主制御部３８は、釣銭用紙幣収納庫２４から両替元金として搬送させる金種枚数を入力させるための画面を操作表示部３３に表示させることによって、両替元金の金種枚数を入力可能にする。
【００９１】
図１４は、両替元金の金種枚数を入力するための画面例を示す図である。図１４を参照すると、両替元金の金種枚数を入力するための画面例として金種枚数選択画面Ｇ４０が示されている。金種枚数選択画面Ｇ４０には、金種枚数を入力するためのボタン（図１４に示された例では、「＋」ボタンが金種枚数を１増やすボタンに該当し、「−」ボタンが金種枚数を１減らすボタンに該当する）が表示され、取り消し操作のための取り消しボタンＢ４１および確認操作のための確認ボタンＢ４２が表示されている。なお、金種枚数を調整するためのボタンは、かかる例に限定されず、金種枚数をダイレクトに入力するためのボタンなどが表示されてもよい。また、主制御部３８は、紙幣回収庫２５に収納可能な紙幣の枚数を金種枚数選択画面Ｇ４０に表示させるようにしてもよい。
【００９２】
ここで、取り消しボタンＢ４１が選択された場合には、釣銭用紙幣収納庫２４に収納されている紙幣を両替元金として紙幣回収庫２５に収納しない旨の指示が操作表示部３３によって受け付けられる。一方、警送員によって両替元金の金種枚数が入力され（Ｓ４４２）、確認ボタンＢ４２が選択された場合には、両替元金の金種枚数と、釣銭用紙幣収納庫２４に収納されている紙幣を両替元金として紙幣回収庫２５に収納する旨の指示（すなわち、釣銭用紙幣収納庫２４に収納されている紙幣を両替元金として使用しない旨の指示）とが、操作表示部３３によって受け付けられる。
【００９３】
主制御部３８は、操作表示部３３によって、両替元金の金種枚数と、釣銭用紙幣収納庫２４に収納されている紙幣を両替元金として紙幣回収庫２５に収納する旨の指示とが受け付けられた場合、以下の（算出式３）が成立するか否かを判定する（Ｓ４４３）。すなわち、主制御部３８は、指定された両替元金の枚数が、紙幣回収庫２５の空き容量以下であるか否かを判定する。
【００９４】
紙幣回収庫の最大収納可能枚数−収納済み枚数≧両替元金として指定された紙幣の枚数
・・・（算出式３）
【００９５】
主制御部３８は、（算出式３）が成立する場合には（Ｓ４４３において「成立」）、指定された両替元金を釣銭用紙幣収納庫２４から紙幣回収庫２５に搬送するよう制御する（Ｓ４４４）。一方、主制御部３８は、（算出式３）が成立しない場合には（Ｓ４４３において「不成立」）、当該紙幣の一部（すなわち、紙幣回収庫２５の空き容量を超える枚数の紙幣）を両替元金として紙幣回収庫２５に搬送するかを選択可能にする。例えば、主制御部３８は、当該紙幣の一部を両替元金として紙幣回収庫２５に収納するかを選択するための画面を表示するよう操作表示部３３を制御することによって、当該紙幣の一部を両替元金として紙幣回収庫２５に収納するかを選択可能にする。
【００９６】
主制御部３８は、操作表示部３３によって、当該紙幣の一部を両替元金として紙幣回収庫２５に収納しない旨の指示（紙幣回収庫２５の空き容量を超える枚数の紙幣を両替元金として使用しない旨の指示）が受け付けられた場合（Ｓ４４５において「しない」）、指定された両替元金のうち紙幣回収庫２５の空き容量以下の枚数の紙幣（すなわち、紙幣回収庫２５に収納できる枚数の紙幣）を釣銭用紙幣収納庫２４から紙幣回収庫２５に搬送するよう制御する（Ｓ４４９）。
【００９７】
一方、主制御部３８は、操作表示部３３によって、当該紙幣の一部を両替元金として紙幣回収庫２５に搬送する旨の指示（紙幣回収庫２５の空き容量を超える枚数の紙幣を両替元金として使用する旨の指示）が受け付けられた場合（Ｓ４４５において「する」）、指定された両替元金のうち紙幣回収庫２５の空き容量を超えない枚数の紙幣（すなわち、紙幣回収庫２５に搬送できる枚数の紙幣）を紙幣回収庫２５に搬送するよう制御する（Ｓ４４７）。そして、主制御部３８は、警送員が装置内の紙幣回収庫２５と空の紙幣回収庫２５とを交換すると（すなわち、現在装置内に挿入されている紙幣回収庫２５を抜き取り、空の紙幣回収庫２５を装置内に挿入すると）（Ｓ４４８）、指定された両替元金のうち残りの紙幣（すなわち、紙幣回収庫２５に搬送できる枚数の紙幣）を交換後の紙幣回収庫２５に搬送するよう制御する（Ｓ４４９）。
【００９８】
紙幣回収庫２５に売上金および両替元金が搬送されると、警送員によって紙幣回収庫２５が装置内から抜き取られ、空の紙幣回収庫２５が装置内に挿入される。主制御部３８は、空の紙幣回収庫２５が装置内に挿入されたことを検知すると、紙幣回収庫２５に収納された売上金および両替元金それぞれの金額などをセンターサーバ３に通知し、レシートプリンタ部３６によって紙幣回収庫２５に収納された売上金額、紙幣回収庫２５に収納された両替元金、売上金額と両替元金の合算である移動金額を印字したレシートを出力させ（Ｓ４５０）、売上回収処理および両替元金回収処理が終了される。
【００９９】
図１５は、レシートプリンタ部３６によって作成されるレシートの例を示す図である。図１５を参照すると、上記した売上回収処理および両替元金回収処理において紙幣回収庫２５に収納された現金の金額が「移動金額」として印字されており、紙幣回収庫２５に収納された現金の金種毎の枚数も印字されている。また、「移動金額」のうち、上記した売上回収処理において紙幣回収庫２５に収納された売上金の金額が「売上金額」として印字されており、紙幣回収庫２５に収納された売上金の金種毎の枚数も印字されている。さらに、「移動金額」のうち、上記した両替元金回収処理において紙幣回収庫２５に収納された両替元金の金額が「両替元金」として印字されており、紙幣回収庫２５に収納された両替元金の金種毎の枚数も印字されている。
【０１００】
以上、本実施形態に係る入出金装置１の運用例について説明した。
【０１０１】
（３．効果の説明）
本発明の実施形態によれば、入出金装置の中の両替元金が売上金と併せて回収庫に収納されるため、両替元金をあらかじめ準備しておく手間が顧客に掛からずに済む。あるいは、両替元金をあらかじめ振り込む手間が顧客に掛からずに済む。また、顧客が準備した両替元金を金庫に保管しなくてよいため、金庫を開けるたびに金庫内の現金の金額が正しいことを確認する手間が顧客に掛からずに済む。
【０１０２】
さらに、本発明の実施形態によれば、リジェクト庫からリジェクト紙幣を取り出し、取り出したリジェクト紙幣を両替元金としてあらかじめ準備しておく手間が顧客に掛からずに済む。また、本発明の実施形態によれば、顧客自身が手動で両替元金を計数する必要がないため、計数ミスによる違算が抑止される。また、本発明の実施形態によれば、顧客が両替元金に直接触れる機会がなくなるため、顧客によって不正に現金が抜き取られる可能性が低減される。
【０１０３】
また、本発明の実施形態によれば、顧客が準備した両替元金を金庫から取り出す必要がないため、金庫を開けるたびに金庫内の現金の金額が正しいことを確認する手間が顧客に掛からずに済む。また、本発明の実施形態によれば、警送員が、売上金の回収庫から取り出された売上金と両替元金とを一つの現金袋にまとめて運搬することができるため、警送車に一度に搭載できる現金の量を増やすことができ、現金警送の効率化が図られる。
【０１０４】
（４．変形例の説明）
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０５】
例えば、上記では、入出金装置１によって取り扱われる現金の例として紙幣を用いる場合を主に説明した。しかし、入出金装置１によって紙幣の代わりに他の現金（例えば、硬貨）が取り扱われてもよい。より具体的に、上記では、紙幣リジェクト庫２６に収納されているリジェクト紙幣を釣銭準備金の両替元金として使用する旨の指示が操作表示部３３によって受け付けられると、紙幣リジェクト庫２６からリジェクト紙幣を取り出させると共に紙幣入出金口２１にリジェクト紙幣を投入させ、紙幣入出金口２１に投入されたリジェクト紙幣を紙幣回収庫２５に搬送するよう制御する例を示した。
【０１０６】
しかし、入出金装置１によって紙幣の代わりに硬貨が取り扱われる場合、主制御部３８は、図示しない硬貨リジェクト庫に収納されている硬貨（以下、「リジェクト硬貨」とも言う。）を釣銭準備金の両替元金として使用する旨の指示が操作表示部３３によって受け付けられると、硬貨返却箱１７からリジェクト硬貨を取り出させると共に硬貨入金口１１にリジェクト硬貨を投入させ、硬貨入金口１１に投入されたリジェクト硬貨の少なくとも一部を硬貨回収庫１５に搬送するよう制御してもよい。例えば、リジェクト硬貨は、リサイクルすべきでない硬貨、もしくは、釣銭用硬貨収納庫１４に入り切らなかったあふれ硬貨であってよく、リジェクト媒体の一例に相当し得る。
【０１０７】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０１０８】
１      入出金装置
１０    硬貨処理機
１１    硬貨入金口
１２    硬貨鑑別部
１３    硬貨一時保留部
１４    釣銭用硬貨収納庫
１５    硬貨回収庫
１６    硬貨出金庫
１７    硬貨返却箱
１８    制御部
２０    紙幣処理機
２１    紙幣入出金口
２２    紙幣鑑別部
２３    紙幣一時保留部
２４    釣銭用紙幣収納庫
２５    紙幣回収庫
２６    紙幣リジェクト庫
２７    制御部
３３    操作表示部
３５    カードリーダ部
３６    レシートプリンタ部
３７    記憶部
３８    主制御部
【図１】
2020077335.tif 000003
【図２】
2020077335.tif 000004
【図３】
2020077335.tif 000005
【図４】
2020077335.tif 000006
【図５】
2020077335.tif 000007
【図６】
2020077335.tif 000008
【図７】
2020077335.tif 000009
【図８】
2020077335.tif 000010
【図９】
2020077335.tif 000011
【図１０】
2020077335.tif 000012
【図１１】
2020077335.tif 000013
【図１２】
2020077335.tif 000014
【図１３】
2020077335.tif 000015
【図１４】
2020077335.tif 000016
【図１５】
2020077335.tif 000017